(57)【要約】【課題】トッププレートとトップフレームの隙間より液体が流入しても、電気部品などへの滴下を防ぎ、誤動作のしない加熱調理器を提供することを目的とする。【解決手段】調理容器を載置するトッププレート１と、トッププレート１の周縁部を保持すると共に本体外郭３に装着されるトップフレーム２と、トッププレート１とトップフレーム２の間に設けたシール材４とを有し、トッププレート１の周縁部下方には、これに流れ込む液体６を所定量溜める液体受部材５を設けた構成としている。これにより、外的要因によるトップフレーム２の変形により液体６が流入しても、液体受部材５で液体を受けることができ、電気部品１２などへの滴下を防ぎ、誤動作を防ぐことができる。【選択図】図３
2005326081.tif 000002
【特許請求の範囲】
【請求項１】
調理容器を載置するトッププレートと、前記トッププレートの周縁部を保持すると共に本体外郭に装着されるトップフレームと、前記トッププレートと前記トップフレームの間に設けたシール材とを有し、前記トッププレートの周縁部下方には、これに流れ込む液体を受ける液体受部材を設けた加熱調理器。
【請求項２】
液体受部材の液体受面を傾斜面とし液体誘導経路とした請求項１に記載の加熱調理器。
【請求項３】
液体受部材は、トッププレートの下面に設置したバックアップ部材を保持する構成とした請求項１または２に記載の加熱調理器。
【請求項４】
液体受部材の本体外郭側の壁は、トッププレートの上面より高く構成した請求項１〜３のいずれか１項に記載の加熱調理器。
【請求項５】
液体受部材により形成された液体誘導経路は、液体を本体外郭内の高温部へ誘導する構成とした請求項１〜４のいずれか１項に記載の加熱調理器。
【請求項６】
液体受部材により形成された液体誘導経路は、本体外郭の外部へ流出させる排水ホースと接合される構成とした請求項１〜４のいずれか１項に記載の加熱調理器。
【請求項７】
本体外郭の内部に設けた電気部品保護部材により、トッププレートの周縁部下方に流れ込む液体を溜める液体受部材を構成した請求項１に記載の加熱調理器。
【発明の詳細な説明】
【技術分野】
【０００１】
本発明は、調理容器を載置するトッププレートを備えた加熱調理器に関するものである。
【背景技術】
【０００２】
従来、この種の加熱調理器は、煮汁などが吹きこぼれたり、トッププレート上で煮汁などが吹きこぼれたり、調理容器が転倒して液体が流出したりすると、流出液がトッププレートの周縁部の保持部から内部に侵入し、電気部品や電子回路および電気接続部に滴下し、誤動作する恐れがある。そのため、トッププレートの保持部には、一般的にはシール材を施している（例えば、特許文献１参照）。
【０００３】
図１１、図１２は、従来の加熱調理器の概略を示すものである。調理容器を載置するトッププレート２１は、その周縁部がシール材２４を介してトップフレーム２２に取り付けられ、本体外郭２３に取り付けられている。
【特許文献１】特開平６−１８１０８９号公報
【発明の開示】
【発明が解決しようとする課題】
【０００４】
しかしながら、前記従来の構成において、シール材２４に接するトップフレーム２２の平面部分は、器物の落下などにより変形が生じ易いものであった。このような変形状態が生じると、トッププレート２１上で煮汁などが吹きこぼれたり、調理容器が転倒して液体が流出したりすると、シール材２４を施しているものの、シール材２４とトップフレーム２２の隙間から液体が本体外郭２３の内部に流れ込み、電気部品や電子回路および電気接続部に滴下して、誤動作を生じる恐れがあった。
【０００５】
本発明は、前記従来の課題を解決するもので、液体が本体外郭の内部に流入した場合でも、電気部品などへの滴下を防ぎ、誤動作のない加熱調理器を提供することを目的とする。
【課題を解決するための手段】
【０００６】
前記従来の課題を解決するために、本発明の加熱調理器は、トッププレートの周縁部下方には、これに流れ込む液体を受ける液体受部材を設けたものである。
【０００７】
これによって、例え、外的要因によるトップフレームの変形で液体が本体外郭の内部に流入した場合でも、液体受部材により液体を受け、電気部品などへの滴下を防ぎ、誤動作を防ぐことができる。
【発明の効果】
【０００８】
本発明の加熱調理器は、トッププレート上の液体が本体外郭の内部に流入した場合でも、電気部品などへの滴下を防ぎ、誤動作を防ぐことができる。
【発明を実施するための最良の形態】
【０００９】
第１の発明は、調理容器を載置するトッププレートと、前記トッププレートの周縁部を保持すると共に本体外郭に装着されるトップフレームと、前記トッププレートと前記トップフレームの間に設けたシール材とを有し、前記トッププレートの周縁部下方には、これに流れ込む液体を受ける液体受部材を設けた加熱調理器とすることにより、例え、外的要因によるトップフレームの変形で液体が本体外郭の内部に流入した場合でも、液体受部材により液体を受け、電気部品などへの滴下を防ぎ、誤動作を防ぐことができる。
【００１０】
第２の発明は、特に、第１の発明において、液体受部材の液体受面を傾斜面とし液体誘導経路としたことにより、例え、外的要因によるトップフレームの変形で液体が本体外郭の内部に流入した場合でも、液体受部材により液体を受け、液体を電気部品などのない空間へ誘導できるため、電気部品などへの滴下を防ぎ、誤動作を防ぐことができる。
【００１１】
第３の発明は、特に、第１または第２の発明において、液体受部材は、トッププレートの下面に設置したバックアップ部材を保持する構成としたことにより、液体受部材で保持したバックアップ部材により、外的要因によるトップフレームの変形を最小限に抑えつつ、液体がトッププレートとトップフレームの隙間より流入した場合でも、液体受部材により液体を受け、電気部品などへの滴下を防ぎ、誤動作を防ぐことができる。
【００１２】
第４の発明は、特に、第１〜３のいずれか１つの発明において、液体受部材の本体外郭側の壁は、トッププレートの上面より高く構成したことにより、例え、液体が本体外郭の内部に勢いよく流入した場合でも、液体受部材により液体を受けることができ、電気部品などへ滴下を確実に防ぐことができ、誤動作を防ぐことができる。
【００１３】
第５の発明は、特に、第１〜４のいずれか１つの発明において、液体受部材により形成された液体誘導経路は、液体を本体外郭内の高温部へ誘導する構成としたことにより、液体受部材により液体を受け、本体外郭内の高温部で液体を蒸発させることができ、電気部品などへの滴下を防ぎ、誤動作を防ぐことができる。
【００１４】
第６の発明は、特に、第１〜４のいずれか１つの発明において、液体受部材により形成された液体誘導経路は、本体外郭の外部へ流出させる排水ホースと接合される構成としたことにより、液体受部材により液体を受け、本体外郭の外部へ排水ホースを介して流出させるので、電気部品などへの滴下を防ぎ、誤動作を防ぐことができる。
【００１５】
第７の発明は、特に、第１の発明において、本体外郭の内部に設けた電気部品保護部材により、トッププレートの周縁部下方に流れ込む液体を溜める液体受部材を構成したことにより、電気部品保護部材と液体受部材を一体化した合理的構成で、液体が本体外郭の内部に流入した場合でも、液体受部材により液体を受け、電気部品などへの滴下を防ぎ、誤動作を防ぐことができる。
【００１６】
以下、本発明の実施の形態について、図面を参照しながら説明する。なお、この実施の形態によって本発明が限定されるものではない。
【００１７】
（実施の形態１）
図１〜図３は、本発明の実施の形態１における加熱調理器を示すものである。
【００１８】
図１に示すように、本実施の形態における加熱調理器は、調理容器を載置するトッププレート１と、前記トッププレート１の周縁部を保持すると共に本体外郭３に装着されるトップフレーム２とを備えており、キッチンキャビネット１３上に載置されている。
【００１９】
図２に示すように、加熱調理器としては、誘導加熱調理器を例示しているものであり、加熱コイルよりなる加熱体１１をトッププレート１の下方に配置し、電気部品保護部材１０でカバーされた状態でその下方に電気部品１２や電子回路および電気接続部を装備している。
【００２０】
そして、図３に示すように、前記トッププレート１と前記トップフレーム２の間にはシール材を設け、前記トッププレート１の周縁部下方には、これに流れ込む液体６を受ける液体受部材５を設けたものである。この液体受部材５は、本実施の形態においては、電気部品保護部材１０上に載置した状態で設けており、所定量液体を溜めることができるようにしている。
【００２１】
以上のように構成された加熱調理器において、動作と作用について説明する。
【００２２】
加熱体１１によって加熱された液体６が吹きこぼれたり、トッププレート１上で調理容器などを転倒させて、中の液体６がこぼれたりする場合がある。このような場合、通常、トッププレート１上の液体はシール材４によりシールされて本体外郭３内への流入を防止している。
【００２３】
しかし、トッププレート１上には鍋や調理物などによる重量が相当かかるので、部分的にトッププレート１とシール材４に隙間を生じ、液体６は本体外郭３内に流入しようとする。流入した液体６は電気部品保護部材１０の隙間を通り抜け、電気部品１２などに滴下し、誤動作する恐れがある。
【００２４】
しかし、本実施の形態では、外的要因によるトップフレーム２の変形により液体６が流入しても、液体受部材５で液体６を受けることができ、電気部品１２などへの滴下を防ぎ、誤動作を防ぐことができ品質を維持する効果を有する。また、液体受部材５によってできる空間が断熱層になり、本体外郭３の内部の熱が外部へ伝達されるのが抑えられ、本体外郭３表面の温度を低減することができる。
【００２５】
なお、液体受部材５は、トッププレート１の周縁部下方の電気部品１２などがある付近の一部にのみ設けることも、トッププレート１の全周縁部下方に設けことでもよい。
【００２６】
（実施の形態２）
図４は、本発明の実施の形態２における加熱調理器の要部構成を示すものである。実施の形態１と同一要素については同一符号を付して説明を省略する。
【００２７】
図に示すように、本実施の形態における加熱調理器は、液体受部材５の液体受面（底面）を傾斜面５ａとし液体誘導経路としたものである。これにより、液体受部材５により受けた液体を電気部品１２などのない空間へ誘導できるようにしているものである。
【００２８】
このように、本実施の形態においては、例え、外的要因によるトップフレーム２の変形により液体６が本体外郭３の内部に流入した場合でも、液体受部材５により液体を受け、液体を電気部品１２などのない空間へ誘導できるため、電気部品１２などへの滴下を防ぎ、誤動作を防ぐことができるものである。
【００２９】
（実施の形態３）
図５は、本発明の実施の形態３における加熱調理器の要部構成を示すものである。実施の形態１と同一要素については同一符号を付して説明を省略する。
【００３０】
図に示すように、本実施の形態における加熱調理器は、トッププレート１の下面に設置したトッププレート１のバックアップ部材７を液体受部材５の一部で保持する構成としたものである。バックアップ部材７は耐熱弾性材で構成されているものである。これにより、液体受部材５がバックアップ部材７の保持する部材を兼ねた合理的な構成により、外的要因によるトップフレーム２の変形を最小限に抑えているものである。
【００３１】
このように、本実施の形態においては、合理的な構成により、外的要因によるトップフレーム２の変形を最小限に抑えつつ、液体がトッププレート１とトップフレーム２の隙間より流入した場合でも、液体受部材５により液体を受け、電気部品１２などへの滴下を防ぎ、誤動作を防ぐことができるものである。
【００３２】
（実施の形態４）
図６は、本発明の実施の形態４における加熱調理器の要部構成を示すものである。実施の形態１と同一要素については同一符号を付して説明を省略する。
【００３３】
図に示すように、本実施の形態における加熱調理器は、液体受部材５の本体外郭３側の壁５ｂは、トッププレート１の上面より高く構成したものである。これにとり、例え、液体が本体外郭３の内部に勢いよく流入した場合でも、液体受部材５の壁５ｂの作用により液体を受けることができるものである。
【００３４】
このように、本実施の形態においては、例え、液体が本体外郭３の内部に勢いよく流入した場合でも、液体受部材５の壁５ｂの作用により液体を受けることができ、電気部品１２などへ滴下を確実に防ぐことができ、誤動作を防ぐことができる。
【００３５】
（実施の形態５）
図７は、本発明の実施の形態５における加熱調理器の要部構成を示すものである。実施の形態１と同一要素については同一符号を付して説明を省略する。
【００３６】
図に示すように、本実施の形態における加熱調理器は、液体受部材５により形成された液体誘導経路は、液体を本体外郭３内の高温部８、例えば、ロースターの天面へ誘導する構成としたものである。これにより、液体受部材５の液体を高温部８で蒸発処理することができるようにしたものである。
【００３７】
このように、本実施の形態においては、液体受部材５により液体を受け、本体外郭３内の高温部８で液体を蒸発させることができ、電気部品１２などへの滴下を防ぎ、誤動作を防ぐことができる。
【００３８】
（実施の形態６）
図８、図９は、本発明の実施の形態６における加熱調理器を示すものである。実施の形態１と同一要素については同一符号を付して説明を省略する。
【００３９】
図に示すように、本実施の形態における加熱調理器は、液体受部材５により形成された液体誘導経路は、本体外郭３の外部へ流出させる排水ホース９と接合される構成としたものである。これにより、液体受部材５の液体を本体外郭３の外部へ排水ホース９を介して流出させるようにしたものである。
【００４０】
このように、本実施の形態においては、液体受部材５により液体を受け、本体外郭３の外部へ排水ホース９を介して流出させるので、電気部品１２などへの滴下を防ぎ、誤動作を防ぐことができる。
【００４１】
（実施の形態７）
図１０は、本発明の実施の形態７における加熱調理器の要部構成を示すものである。実施の形態１と同一要素については同一符号を付して説明を省略する。
【００４２】
図に示すように、本実施の形態における加熱調理器は、本体外郭３の内部に設けた電気部品保護部材１０により、トッププレート１の周縁部下方に流れ込む液体を溜める液体受部材５を構成したものである。これにより、電気部品保護部材１０と液体受部材５を一体化した合理的構成としているものである。
【００４３】
このように、本実施の形態においては、合理的構成により、液体が本体外郭３の内部に流入した場合でも、液体受部材５により液体を受け、電気部品１２などへの滴下を防ぎ、誤動作を防ぐことができる。
【産業上の利用可能性】
【００４４】
以上のように、本発明にかかる加熱調理器は、トッププレート上の液体の電気部品などへの滴下を防止し、誤動作を防ぐことができるので、誘導加熱調理器はもとより、トッププレートを有するハロゲンヒーターなどの加熱調理器にも適用することができる。
【図面の簡単な説明】
【００４５】
【図１】本発明の実施の形態１〜７における加熱調理器の斜視図
【図２】同加熱調理器の分解斜視図
【図３】本発明の実施の形態１における加熱調理器の要部の断面図
【図４】（ａ）本発明の実施の形態２における加熱調理器の要部の断面図（ｂ）（ａ）のＡ−Ａ断面図
【図５】本発明の実施の形態３における加熱調理器の要部の断面図
【図６】本発明の実施の形態４における加熱調理器の要部の断面図
【図７】本発明の実施の形態５における加熱調理器の内部構成を示す斜視図
【図８】本発明の実施の形態６における加熱調理器の内部構成を示す斜視図
【図９】同加熱調理器の部分断面図
【図１０】本発明の実施の形態７における加熱調理器の要部の断面図
【図１１】従来例を示す加熱調理器の斜視図
【図１２】同加熱調理器の部分断面図
【符号の説明】
【００４６】
１  トッププレート
２  トップフレーム
３  本体外郭
４  シール材
５  液体受部材
５ａ  傾斜面
５ｂ  壁
６  液体
７  バックアップ部材
８  高温部
９  排水ホース
１０  電気部品保護部材
１２  電気部品
【図１】
2005326081.tif 000003
【図２】
2005326081.tif 000004
【図３】
2005326081.tif 000005
【図４】
2005326081.tif 000006
【図５】
2005326081.tif 000007
【図６】
2005326081.tif 000008
【図７】
2005326081.tif 000009
【図８】
2005326081.tif 000010
【図９】
2005326081.tif 000011
【図１０】
2005326081.tif 000012
【図１１】
2005326081.tif 000013
【図１２】
2005326081.tif 000014